(57)【特許請求の範囲】
【請求項１】
複数の鉄心片を積層して構成され、中央に形成された軸孔と、その周囲に形成された複数の磁石挿入部とを備え、該磁石挿入部に永久磁石を挿入して上型と下型で挟んだ状態で、該上型又は該下型のいずれか１の金型に上下に貫通して設けられた樹脂溜め部から前記金型に設けられた樹脂流路を介して、前記各磁石挿入部に樹脂部材を充填して固定した回転子積層鉄心において、
少なくとも前記金型に当接する前記鉄心片には、前記磁石挿入部が形成されておらず、前記樹脂溜め部内の前記樹脂部材が接触可能な樹脂溜め部領域及び前記樹脂流路内の前記樹脂部材が接触可能な樹脂流路領域を確保すると共に、前記金型に当接する前記鉄心片を除く積層された他の前記鉄心片に形成される前記各磁石挿入部と平面視して重なる領域内で半径方向内側に該磁石挿入部より小さく、前記磁石挿入部に前記樹脂部材を充填するための樹脂充填孔が形成されたことを特徴とする回転子積層鉄心。
【請求項２】
請求項１記載の回転子積層鉄心において、前記金型に当接する前記鉄心片には、更に、積層された前記他の鉄心片に形成される前記磁石挿入部と平面視して重なる領域内に、該磁石挿入部内に前記樹脂部材が充填されたか否かを確認するための樹脂部材充填確認孔が形成されていることを特徴とする回転子積層鉄心。
【請求項３】
請求項２記載の回転子積層鉄心において、前記樹脂部材充填確認孔は複数形成されていることを特徴とする回転子積層鉄心。
【請求項４】
請求項２又は３記載の回転子積層鉄心において、前記樹脂部材充填確認孔は前記樹脂充填孔より小さいことを特徴とする回転子積層鉄心。
【請求項５】
複数の鉄心片を積層し、中央の軸孔の周囲に形成された複数の磁石挿入部に永久磁石を挿入した後、上型と下型で挟んだ状態で、該上型又は該下型のいずれか１の金型に上下に貫通して設けられた樹脂溜め部から前記金型に形成された樹脂流路を介して、前記各磁石挿入部に樹脂部材を充填して固定する回転子積層鉄心の樹脂封止方法において、
少なくとも前記金型に当接する前記鉄心片には、前記磁石挿入部が形成されておらず、前記樹脂溜め部内の前記樹脂部材が接触可能な樹脂溜め部領域及び前記樹脂流路内の前記樹脂部材が接触可能な樹脂流路領域を確保すると共に、前記金型に当接する前記鉄心片を除く積層された他の前記鉄心片に形成される前記各磁石挿入部と平面視して重なる領域内に該磁石挿入部より小さな樹脂充填孔を形成して、該樹脂充填孔を通じて前記磁石挿入部に前記樹脂部材を充填することを特徴とする回転子積層鉄心の樹脂封止方法。
【請求項６】
請求項５記載の回転子積層鉄心の樹脂封止方法において、前記金型に当接する前記鉄心片には、更に、積層された前記他の鉄心片に形成される前記磁石挿入部と平面視して重なる領域内に樹脂部材充填確認孔を形成し、該樹脂部材充填確認孔により、前記磁石挿入部への前記樹脂部材の充填具合を確認することを特徴とする回転子積層鉄心の樹脂封止方法。
【発明の詳細な説明】
【技術分野】
【０００１】
本発明は、軸孔の周囲に複数設けられた磁石挿入部に永久磁石を挿入し、これを樹脂部材によって固定した回転子積層鉄心及びその樹脂封止方法に関する。
【背景技術】
【０００２】
従来、モータに使用する回転子積層鉄心（ロータコアともいう）は、複数の鉄心片を積層し、中央のシャフト孔（軸孔ともいう）の周囲に形成された複数のマグネット孔（磁石挿入部ともいう）に永久磁石を挿入した後、金型に設けられた樹脂溜めポット（樹脂溜め部ともいう）により、マグネット孔に樹脂部材を充填し固定することにより製造している（例えば、特許文献１参照）。この樹脂部材の充填は、例えば、金型の樹脂溜めポットから、この樹脂溜めポットと平面視して異なる位置に設けられた積層鉄心のマグネット孔へ、樹脂溜めポットとマグネット孔とを連通するランナー（樹脂流路ともいう）とゲートを通じて行っている。
【０００３】
【特許文献１】特開２００２−３４１８７号公報
【発明の開示】
【発明が解決しようとする課題】
【０００４】
しかしながら、回転子積層鉄心の種類によっては、例えば、マグネット孔の形状、シャフト孔の内径、更には、回転子積層鉄心に形成される重量軽減用孔の存在により、平面視した際の回転子積層鉄心に対する樹脂溜めポットの配置位置が制約される問題がある。
このように、樹脂溜めポットの位置が制約されると、同様にマグネット孔に樹脂部材を導くランナーパターンも制約され、その自由度がなくなる。
また、制約を受けて形成されたランナーパターンは、樹脂部材の流動性を低下させるほか、ランナーの距離が長くならざるを得ない場合、樹脂残り（カル）の量も多くなり、樹脂部材の無駄が生じ経済的でない。
【０００５】
そして、マグネット孔への樹脂部材の充填に際しては、この作業を効率的に行うため、複数のマグネット孔に一つの樹脂溜めポットから同時に充填しているが、この方法を適用することができない場合もある。このような場合、一つのマグネット孔に対して一つの樹脂溜めポットで対応しなければならず、また金型に設ける樹脂溜めポットの数も増えて、各マグネット孔への樹脂部材の充填条件（例えば、充填速度、又は充填量）がばらついて安定せず、回転子積層鉄心の品質低下を招く。また、樹脂部材充填のための機構、又は樹脂溜めポットが設けられる金型の構造も複雑化するため、製造装置の製造コストの上昇にも繋がる。
【０００６】
本発明はかかる事情に鑑みてなされたもので、金型に設ける樹脂溜め部の配置位置、更には樹脂流路の形状の自由度を確保でき、磁石挿入部への樹脂部材の充填を効率的に行うと共に、回転子積層鉄心の製造装置の装置構成を簡単にできる回転子積層鉄心及びその樹脂封止方法を提供することを目的とする。
【課題を解決するための手段】
【０００７】
前記目的に沿う第１の発明に係る回転子積層鉄心は、複数の鉄心片を積層して構成され、中央に形成された軸孔と、その周囲に形成された複数の磁石挿入部とを備え、該磁石挿入部に永久磁石を挿入して上型と下型で挟んだ状態で、該上型又は該下型のいずれか１の金型に上下に貫通して設けられた樹脂溜め部から前記金型に設けられた樹脂流路を介して、前記各磁石挿入部に樹脂部材を充填して固定した回転子積層鉄心において、
少なくとも前記金型に当接する前記鉄心片には、前記磁石挿入部が形成されておらず、前記樹脂溜め部内の前記樹脂部材が接触可能な樹脂溜め部領域及び前記樹脂流路内の前記樹脂部材が接触可能な樹脂流路領域を確保すると共に、前記金型に当接する前記鉄心片を除く積層された他の前記鉄心片に形成される前記各磁石挿入部と平面視して重なる領域内で半径方向内側に該磁石挿入部より小さく、前記磁石挿入部に前記樹脂部材を充填するための樹脂充填孔が形成されている。
【０００８】
第１の発明に係る回転子積層鉄心において、前記金型に当接する前記鉄心片には、更に、積層された前記他の鉄心片に形成される前記磁石挿入部と平面視して重なる領域内に、該磁石挿入部内に前記樹脂部材が充填されたか否かを確認するための樹脂部材充填確認孔が形成されていることが好ましい。
第１の発明に係る回転子積層鉄心において、前記樹脂部材充填確認孔は複数形成されていることが好ましい。
第１の発明に係る回転子積層鉄心において、前記樹脂部材充填確認孔は前記樹脂充填孔より小さいことが好ましい。
【０００９】
前記目的に沿う第２の発明に係る回転子積層鉄心の樹脂封止方法は、複数の鉄心片を積層し、中央の軸孔の周囲に形成された複数の磁石挿入部に永久磁石を挿入した後、上型と下型で挟んだ状態で、該上型又は該下型のいずれか１の金型に上下に貫通して設けられた樹脂溜め部から前記金型に形成された樹脂流路を介して、前記各磁石挿入部に樹脂部材を充填して固定する回転子積層鉄心の樹脂封止方法において、
少なくとも前記金型に当接する前記鉄心片には、前記磁石挿入部が形成されておらず、前記樹脂溜め部内の前記樹脂部材が接触可能な樹脂溜め部領域及び前記樹脂流路内の前記樹脂部材が接触可能な樹脂流路領域を確保すると共に、前記金型に当接する前記鉄心片を除く積層された他の前記鉄心片に形成される前記各磁石挿入部と平面視して重なる領域内に該磁石挿入部より小さな樹脂充填孔を形成して、該樹脂充填孔を通じて前記磁石挿入部に前記樹脂部材を充填する。
【００１０】
第２の発明に係る回転子積層鉄心の樹脂封止方法において、前記金型に当接する前記鉄心片には、更に、積層された前記他の鉄心片に形成される前記磁石挿入部と平面視して重なる領域内に樹脂部材充填確認孔を形成し、該樹脂部材充填確認孔により、前記磁石挿入部への前記樹脂部材の充填具合を確認することが好ましい。
【発明の効果】
【００１１】
請求項１〜４記載の回転子積層鉄心、及び請求項５、６記載の回転子積層鉄心の樹脂封止方法は、少なくとも金型に当接する鉄心片に、樹脂溜め部内の樹脂部材が接触可能な樹脂溜め部領域を確保しているので、樹脂溜め部の配置位置が、例えば、回転子積層鉄心の磁石挿入部の形状、及び軸孔の内径に制約されない。また、金型に当接する鉄心片には、積層された他の鉄心片に形成される磁石挿入部より、平面視して小さい樹脂充填孔を形成しているので、金型に当接する鉄心片に磁石挿入部が存在する場合と比較して広い面積の樹脂溜め部領域を確保できると共に、この樹脂充填孔を介して磁石挿入部に樹脂部材を充填できる。
これにより、樹脂溜め部の配置位置の自由度が確保でき、例えば、複数の磁石挿入部に、一つの樹脂溜め部から同時に樹脂部材を充填する樹脂流路のパターン形成が可能になり、磁石挿入部への樹脂部材の充填を流動性よく効率的に行うことができる。従って、各磁石挿入部への樹脂部材の充填条件が安定し、良好な品質の回転子積層鉄心を提供でき、更には、樹脂部材充填のための機構、又は樹脂溜め部が設けられる金型の構造を簡単にでき、製造装置を経済的に製造できる。
【００１２】
そして、金型に当接する鉄心片に、樹脂流路内の樹脂部材が接触可能な樹脂流路領域を確保しているので、樹脂流路の形成位置の自由度が広がる。これにより、金型に対して、樹脂部材の流動性に悪影響を及ぼすことなく、樹脂部材の不必要な残存を発生させない好適な樹脂流路のパターンを形成できる。
【００１３】
請求項２記載の回転子積層鉄心、及び請求項６記載の回転子積層鉄心の樹脂封止方法は、金型に当接する鉄心片に、磁石挿入部と平面視して重なる領域内に樹脂部材充填確認孔を形成することにより、樹脂部材の磁石挿入部への充填具合を確認することができ、樹脂部材の充填不良を容易に発見できる。
請求項３記載の回転子積層鉄心は、樹脂部材充填確認孔を複数形成しているので、この樹脂部材充填確認孔の形成位置を適宜選択することで、樹脂部材の充填量が不足している部分を容易に確認できる。
請求項４記載の回転子積層鉄心は、樹脂部材充填確認孔が樹脂充填孔より小さくなっているので、鉄心片に樹脂部材充填確認孔を形成しても、樹脂溜め部領域を十分に確保できる。
【発明を実施するための最良の形態】
【００１４】
続いて、添付した図面を参照しつつ、本発明を具体化した実施の形態につき説明し、本発明の理解に供する。
図１（Ａ）、（Ｂ）、図２に示すように、本発明の一実施の形態に係る回転子積層鉄心（以下、単に積層鉄心ともいう）１０は、複数の鉄心片１１、１２を積層して構成され、中央に形成された軸孔１３と、その周囲に形成された複数の磁石挿入孔（磁石挿入部の一例）１４とを備え、磁石挿入孔１４に永久磁石１５を挿入して上型（即ち、金型）１６と下型１７で挟んだ状態で、上型１６に設けられた樹脂溜めポット（樹脂溜め部の一例）１８から、磁石挿入孔１４に樹脂部材１９を充填して固定したものである。なお、図１（Ａ）、（Ｂ）中の２０は、積層鉄心１０の回り止め（突起）である。以下、詳しく説明する。
【００１５】
図１（Ａ）、（Ｂ）に示すように、積層鉄心１０は、厚みが、例えば、０．５ｍｍ以下程度の電磁鋼板を環状に打抜き、この打ち抜かれた複数の鉄心片１１、１２を順次積層して構成されるものである。
なお、複数の鉄心片１１、１２の積層方法としては、かしめ、溶接、及び接着のいずれか１又は２以上を組み合わせて使用できるが、単に平積みするだけでもよい。
【００１６】
この積層鉄心１０の中央に形成された軸孔１３の周囲であって、上型１６と当接する（即ち、上端部に位置する）鉄心片１１を除いた他の鉄心片１２には、上下方向に貫通した磁石挿入孔１４が、複数（ここでは、２×８＝１６個）形成されている。具体的には、平面視してハ字状となった一対の磁石挿入孔１４が、軸孔１３を中心として等間隔に８組配置されている。この磁石挿入孔１４に永久磁石１５を挿入した後、これに樹脂部材１９を充填して固化させている。樹脂部材としては、例えば、従来半導体装置の製造に使用しているエポキシ樹脂のような熱硬化性樹脂又は熱可塑性樹脂を使用できる。
なお、磁石挿入孔の配置位置及び形状は、これに限定されるものではなく、例えば、従来公知の配置位置又は形状でもよい。
【００１７】
図１（Ａ）に示すように、上型１６と当接する鉄心片１１には、積層された他の鉄心片１２に形成される磁石挿入孔１４と平面視して重なる領域（図１（Ａ）に示す隠れ線で囲まれる領域）内に、磁石挿入孔１４に連通して液状の樹脂部材１９を充填する樹脂充填孔２１が形成されている。
この樹脂充填孔２１は、磁石挿入孔１４の平断面の面積より小さく、磁石挿入孔１４と重なる領域内の半径方向内側に形成されているが、例えば、磁石挿入孔１４に挿入する永久磁石１５の配置位置、又は樹脂溜めポット１８の位置に応じて、半径方向外側又は中央に配置することもできる。なお、樹脂充填孔の形状は、平面視して長方形となっているが、磁石挿入孔の形状又は充填する樹脂部材の流動特性に応じて、例えば、正方形、円形、楕円形、又は多角形等に、適宜選択することが好ましい。
【００１８】
また、樹脂充填孔２１の大きさは、樹脂部材１９の流動性を保ちつつ充填を安定に行うため、磁石挿入孔１４と平面視して重なる領域の面積が、できる限り広い程好ましい。
ここで、樹脂充填孔２１の大きさは、永久磁石１５の断面積より小さく設定されているので、積層鉄心１０の製造に際しては、磁石挿入孔１４に永久磁石１５を挿入した後、この積層された鉄心片１２の最上部に、樹脂充填孔２１が形成された鉄心片１１を配置したり、また、鉄心片１１とは反対の端面側（積層鉄心１０の下型１７に当接する側）から、磁石挿入孔１４に永久磁石１５を挿入する。
また、樹脂充填孔の大きさを、永久磁石の断面積より大きく設定する場合は、樹脂充填孔を介して磁石挿入孔に永久磁石を挿入してもよい。
【００１９】
また、図３に示すように、上型１６に当接する鉄心片２２には、更に、積層された他の鉄心片１２に形成される磁石挿入孔１４と重なる領域（図３に示す隠れ線で囲まれる領域）内に、樹脂部材充填確認孔２３を形成することが好ましい。
この回転子積層鉄心（以下、単に積層鉄心ともいう）２４に形成された樹脂部材充填確認孔２３は、磁石挿入孔１４に連通し、磁石挿入孔１４内の全体に渡って樹脂部材１９が充填されたか否かを確認するためのものである。このため、磁石挿入孔１４と重なる領域内で、樹脂充填孔２１から最も離れた位置、即ち磁石挿入孔１４の半径方向外側に対応する位置に形成しているが、例えば、磁石挿入孔の位置又は形状を考慮して、半径方向内側又は中央に形成してもよい。
【００２０】
この樹脂部材充填確認孔２３は、樹脂部材１９の充填具合を確認できればよいため、その大きさを、樹脂充填孔２１より小さくし、しかも磁石挿入孔１４の平断面の面積の例えば１％以上１０％以下程度とする。
そして、樹脂部材充填確認孔２３の形状は、平面視して円形となっているが、例えば、矩形（正方形又は長方形）、楕円形、又は多角形でもよい。
更に、樹脂部材充填確認孔２３は、各磁石挿入孔１４に対して１個ずつ形成されているが、複数形成してもよく、この場合、例えば、磁石挿入孔の形状を考慮して、樹脂部材が充填されにくい部分に形成することが好ましい。
【００２１】
以上に示した樹脂充填孔２１、更に樹脂部材充填確認孔２３は、少なくとも上型１６に当接する鉄心片１１、２２に形成すればよいため、上型１６に当接する鉄心片１１、２２のみに形成しているが、この鉄心片１１、２２を含む上部の複数枚（２枚又は３枚）に形成してもよい。
このように、上型１６と接触する鉄心片１１、２２に、磁石挿入孔が形成されないので、上型１６と鉄心片１１、２２との接触面積を、磁石挿入孔１４が形成された他の鉄心片１２と比較して広くできる。これにより、上型１６に当接する鉄心片１１、２２に、樹脂溜めポット１８内の樹脂部材１９が接触可能な樹脂溜め部領域２５、更には、上型１６に設けられ樹脂溜めポット１８と樹脂充填孔２１とを連通する樹脂流路２６内の樹脂部材１９が接触可能な樹脂流路領域２７が確保される。
【００２２】
次に、本発明の一実施の形態に係る回転子積層鉄心の樹脂封止方法について説明する。
まず、電磁鋼板（図示しない）を環状に打抜き、この打ち抜かれた複数の鉄心片１２を順次積層し、最後に上型１６に当接する鉄心片１１を積層する。鉄心片１２には、磁石挿入孔１４を構成するための開口部が、また鉄心片１１には、樹脂充填孔２１が、それぞれ形成されている。
そして、この積層された鉄心片１１、１２を傾け、積層された鉄心片１２の鉄心片１１とは反対の端面側から、各磁石挿入孔１４内に永久磁石１５を挿入した後、この積層鉄心１０を、図２に示す樹脂封止装置２８の上型１６と下型１７で挟んだ状態で、上型１６に設けられた樹脂溜めポット１８から、各磁石挿入孔１４に液状の樹脂部材１９を充填して固定させる。
ここで、使用する樹脂封止装置２８について、図２を参照しながら説明する。
【００２３】
樹脂封止装置２８は、積層鉄心１０の上部に設けている上型１６と、下部に設けている下型１７を有しており、この間に配置した積層鉄心１０を上型１６と下型１７で挟み込んだ状態で押圧するものである。なお、上型１６には、樹脂部材１９の原料（ペレット状）を加熱して液状にする樹脂溜めポット１８が、積層鉄心１０に当接する上型１６の端部まで延在した状態で設けられている。
この樹脂封止装置２８の樹脂溜めポット１８には、上下方向に昇降可能なプランジャ２９が設けられている。このプランジャ２９より、樹脂溜めポット１８から押し出された液状の樹脂部材１９が、樹脂溜めポット１８の下流側端部に設けられた樹脂流路２６、即ち上型１６の下部表面と積層鉄心１０の上部表面との間を通り、最終的に磁石挿入孔１４に充填される。そして、磁石挿入孔１４に充填した樹脂部材１９を加熱し硬化させることで、磁石挿入孔１４内に挿入された永久磁石１５を樹脂部材１９で固定できる。
【００２４】
なお、樹脂封止装置としては、図４に示すように、上型３０と下型（即ち、金型）３１とを有し、下型３１に樹脂部材１９の原料（ペレット状）を加熱して液状にする樹脂溜めポット１８が形成された樹脂封止装置３２を使用することもできる。
この場合、樹脂充填孔２１が形成された鉄心片１１が、下型３１と当接することになる。これにより、積層された他の鉄心片１２に形成される磁石挿入孔１４は、上方へ向けて開口するため、積層鉄心１０の鉄心片１１とは反対の端面側に位置する鉄心片１２側から、各磁石挿入孔１４に永久磁石１５を挿入できる。そして、プランジャ２９より、樹脂溜めポット１８から押し出された液状の樹脂部材１９が、樹脂溜めポット１８の下流側端部に設けられた樹脂流路２６、即ち下型３１の上部表面と積層鉄心１０の下部表面との間を通り、最終的に各磁石挿入孔１４に充填される。
【００２５】
図１（Ａ）、図２に示すように、樹脂封止装置２８の上型１６に設けた樹脂溜めポット１８は、１個の樹脂溜めポット１８から複数個（ここでは２個）の磁石挿入孔１４に、樹脂部材１９を充填できるように、周方向に等間隔に複数（ここでは８個）設けられている。これにより、樹脂溜めポット１８から複数（例えば、２個又は３個）の磁石挿入孔１４に、樹脂溜めポット１８に連通して上型１６の底部に設けられた複数の樹脂流路２６を介して液状の樹脂部材１９を供給できる。
なお、積層鉄心の形状によっては、樹脂溜めポット１８の個数を磁石挿入孔１４の個数と同数にすることもできる。
ここで、樹脂溜めポット１８は、平面視して積層鉄心１０の半径方向内側に設けているが、半径方向外側に設けてもよい。
【００２６】
このような樹脂封止装置２８を使用して、各磁石挿入孔１４へ液状の樹脂部材１９を供給する。
図１（Ａ）に示すように、上型１６に当接する鉄心片１１には、樹脂溜めポット１８内の樹脂部材１９が接触可能な樹脂溜め部領域２５と、樹脂流路２６の樹脂部材１９が接触可能な樹脂流路領域２７（即ち、樹脂部材が接触可能な面積）が広く確保されている。これにより、上型１６に設ける樹脂溜めポット１８の形成位置の自由度が増すので、樹脂溜めポット１８を、平面視して上型１６に当接する鉄心片１１に形成された樹脂充填孔２１とは異なる位置に配置できる。
なお、樹脂溜めポット１８は、平面視して上型１６に当接する鉄心片１１に設けられた樹脂充填孔２１と重なる位置に配置してもよい。この場合、上型に樹脂流路を設ける必要はない。
これにより、各樹脂充填孔２１を通じて複数の磁石挿入孔１４に液状の樹脂部材１９を充填した後は、この樹脂部材１９を硬化させることで、磁石挿入孔１４内に永久磁石１５を固定できる。
【００２７】
なお、図３に示す回転子積層鉄心２４を製造するに際しては、磁石挿入孔１４に樹脂部材１９が充填されれば、樹脂部材充填確認孔２３の高さ位置まで、樹脂部材１９が上昇するため、これにより、磁石挿入孔１４への樹脂部材１９の充填具合が確認できる。
このように、本発明を適用することで、金型に設ける樹脂溜めポットの配置位置、更には樹脂流路の形状の自由度を確保でき、磁石挿入孔への樹脂部材の充填を効率的に行うと共に、回転子積層鉄心の製造装置の装置構成を簡単にできる。
【００２８】
以上、本発明を、実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明の回転子積層鉄心及びその樹脂封止方法を構成する場合も本発明の権利範囲に含まれる。
また、前記実施の形態においては、上型に当接する鉄心片を除いた積層した他の鉄心片に磁石挿入孔を形成した場合について説明したが、この他の鉄心片に更に、回転子積層鉄心の重量を軽減するための軽量化孔を、複数形成してもよい。この場合についても、上型に当接する鉄心片が、この軽量化孔を覆うように構成にすることで、樹脂溜めポットの形成位置、更には樹脂流路の形成位置の自由度を、更に広げることができる。
【図面の簡単な説明】
【００２９】
【図１】（Ａ）、（Ｂ）はそれぞれ本発明の一実施の形態に係る回転子積層鉄心の平面図、回転子積層鉄心の金型に当接する鉄心片を除いた他の鉄心片の平面図である。
【図２】同回転子積層鉄心の樹脂封止方法で使用する樹脂封止装置の説明図である。
【図３】変形例に係る回転子積層鉄心の平面図である。
【図４】他の樹脂封止装置の説明図である。
【符号の説明】
【００３０】
１０：回転子積層鉄心、１１、１２：鉄心片、１３：軸孔、１４：磁石挿入孔（磁石挿入部）、１５：永久磁石、１６：上型、１７：下型、１８：樹脂溜めポット（樹脂溜め部）、１９：樹脂部材、２０：回り止め、２１：樹脂充填孔、２２：鉄心片、２３：樹脂部材充填確認孔、２４：回転子積層鉄心、２５：樹脂溜め部領域、２６：樹脂流路、２７：樹脂流路領域、２８：樹脂封止装置、２９：プランジャ、３０：上型、３１：下型、３２：樹脂封止装置                                                                    
【図１】
0004562692.tif 000002
【図２】
0004562692.tif 000003
【図３】
0004562692.tif 000004
【図４】
0004562692.tif 000005